(57)【特許請求の範囲】
【請求項１】
当該自動販売機の前壁の背面に設けた貨幣収納部を覆うことによって、この貨幣収納部からの貨幣の盗難を防止する自動販売機の防犯カバー装置であって、
前記前壁の背面に設けられた第１蝶番部と、
この第１蝶番部に連結された第２蝶番部を有し、この第２蝶番部を介して前記第１蝶番部に対し、前記貨幣収納部を覆う閉鎖位置と、前記貨幣収納部を開放する開放位置との間で鉛直な回動軸線回りに回動自在でかつ当該回動軸線方向に移動可能なカバー部材と、
このカバー部材が上方から当接する当接部と、を備え、
前記カバー部材および前記当接部の一方には、前記カバー部材の前記開放位置側への回動に伴って、前記カバー部材を上方に案内する傾斜面が形成されており、
前記カバー部材は、前記開放位置にあるときに、前記傾斜面の途中の位置で前記当接部に当接するように構成されていることを特徴とする自動販売機の防犯カバー装置。
【請求項２】
前記当接部は、前記第１蝶番部および前記カバー部材の一方に一体に形成されていることを特徴とする請求項１に記載の自動販売機の防犯カバー装置。
【発明の詳細な説明】
【０００１】
【発明の属する技術分野】
本発明は、自動販売機の貨幣収納部に収納した貨幣の盗難を防止するために、貨幣収納部を覆う自動販売機の防犯カバー装置に関する。
【０００２】
【従来の技術】
従来、この種の防犯カバー装置として、図６〜図８に示すものが知られている。この防犯カバー装置５０は、自動販売機５４のメインドア５５に取り付けられた紙幣取扱装置５６を覆うように設けられており、メインドア５５の背面から紙幣取扱装置５６に沿って後方に突出する鉛直な支持板５１と、この支持板５１に回動自在に取り付けられた開閉カバー５２とを備えている。開閉カバー５２は、紙幣取扱装置５６の後半部をほぼ覆うことができる箱形状を有しており、収納した紙幣が取り出される紙幣取扱装置５６の背面側の部分は、支持板５１および開閉カバー５２によってほとんど覆われる。これによって、例えばバールなどを、紙幣取扱装置５６の左側に位置するメインドア５５の継目５５ａに差し込み、手を挿入可能な大きさまで継目５５ａを強制的に拡げ、紙幣取扱装置５６内から紙幣を不法に取り出そうとしても、このような行為が阻止される。
【０００３】
さらに、図７に示すように、開閉カバー５２と支持板５１の連結部は、蝶番５３を構成しており、この蝶番５３の回動軸線５３ａは、鉛直方向に対して傾くように、具体的には、前方から見て斜め右上がりに少し傾くように構成されている。メンテナンス時に、紙幣取扱装置５６内から紙幣を取り出す際には、メインドア５５を開放した後、開閉カバー５２を図７の反時計回りに手で２点鎖線で示す開放位置まで回動させ、紙幣取扱装置５６の背面側を開放することによって、紙幣を取り出す。この後、開閉カバー５２を放すと、開閉カバー５２は、上記蝶番５３の回動軸線５３ａの偏心により、その自重で図７の実線で示す閉鎖位置まで回動する。このように、蝶番５３の回動軸線５３ａを傾けることによって、開閉カバー５２の閉め忘れを防止している。その結果、開閉カバー５２を閉め忘れた状態でメインドア５５を閉じたときの自動販売機内の部品の破損などを防止するとともに、紙幣の不法な取り出しなどを防止するようにしている。
【０００４】
【発明が解決しようとする課題】
上記従来の防犯カバー装置５０によれば、開閉カバー５２の閉め忘れを防止するために、開閉カバー５２と支持板５１の連結部側の端部をそれぞれ、これらによって構成される蝶番５３の回動軸線５３ａが傾くように形成しなければならない。このため、開閉カバー５２と支持板５１を製作する場合に、回動軸線５３ａを鉛直に構成するときと比べて、部品構造が複雑になることにより、加工が難しくなり、製造コストの上昇を招いてしまう。また、回動軸５３ａの傾きにより、蝶番５３自体が幅広くなるとともに、開閉カバー５２の回動スペースも大きくなることによって、自動販売機５４内で大きな設置スペースが必要になるという問題がある。
【０００５】
本発明は、上記課題を解決するためになされたもので、閉め忘れを確実に防止でき、比較的、構造が単純で容易に製造できるとともに、設置スペースを縮小できる自動販売機の防犯カバー装置を提供することを目的とする。
【０００６】
【課題を解決するための手段】
請求項１の自動販売機の防犯カバー装置は、自動販売機の前壁の背面に設けた貨幣収納部を覆うことによって、この貨幣収納部からの貨幣の盗難を防止する自動販売機の防犯カバー装置であって、前壁の背面に設けられた第１蝶番部と、この第１蝶番部に連結された第２蝶番部を有し、この第２蝶番部を介して第１蝶番部に対し、貨幣収納部を覆う閉鎖位置と、貨幣収納部を開放する開放位置との間で鉛直な回動軸線回りに回動自在でかつ回動軸線方向に移動可能なカバー部材と、このカバー部材が上方から当接する当接部と、を備え、カバー部材および当接部の一方には、カバー部材の開放位置側への回動に伴って、カバー部材を上方に案内する傾斜面が形成されており、カバー部材は、開放位置にあるときに、傾斜面の途中の位置で当接部に当接するように構成されていることを特徴とする。
【０００７】
この自動販売機の防犯カバー装置によれば、メンテナンス時に、閉鎖位置にあるカバー部材を例えば手で開放位置側に回動させると、カバー部材は、カバー部材および当接部の一方に形成した傾斜面に案内されることによって、上方に移動しながら開放位置に到達する。この開放位置において、カバー部材は、傾斜面の途中の位置で当接部に当接しているとともに、その位置エネルギが閉鎖位置よりも上昇した状態にある。それゆえ、開放位置で手を放すと、カバー部材は、その位置エネルギが運動エネルギに変換され、当接部の傾斜面上を下方に摺動しながら、閉鎖位置まで回動する。このように、傾斜面という比較的、単純な構造により、カバー部材の閉め忘れを確実に防止できるとともに、カバー部材が常時、閉鎖位置にあって貨幣収納部を覆うことにより、貨幣収納部からの貨幣の盗難が確実に防止される。また、第１蝶番部と第２蝶番部は、鉛直な回動軸線の回りに回動自在に連結されているので、従来の回動軸線が傾いているものと比べて、第１蝶番部と第２蝶番部で構成される蝶番部分を効率よく配置することができるとともに、カバー部材の回動スペースを削減することができる。これによって、設置スペースを縮小することができる。
【０００８】
上記において、当接部は、第１蝶番部およびカバー部材の一方に一体に形成されていることが好ましい。
【０００９】
この自動販売機の防犯カバー装置によれば、当接部を第１蝶番部およびカバー部材の一方に一体に形成したので、装置全体としてのサイズを小さくできるとともに、当接部を別に製作する必要がなくなることによって、部品点数を減らすことができる。
【００１０】
【発明の実施の形態】
以下、添付図面を参照しながら、本発明の一実施形態に係る自動販売機の防犯カバー装置について説明する。図１は、本実施形態の防犯カバー装置１を適用した自動販売機２の一部を示している。自動販売機２は、その前面を開閉するメインドア（前壁）３と、メインドア３の右側部に取り付けられた紙幣取扱装置４と、紙幣取扱装置４をカバーする防犯カバー装置１とを備えている。
【００１１】
紙幣取扱装置４は、メインドア３に取り付けられた箱形のビルバリデータ４ａと、このビルバリデータ４ａに連結された箱形のビルストッカ（貨幣収納部）４ｂとで構成されている。ビルバリデータ４ａは、メインドア３の前面に臨む紙幣挿入口４ｃを備えており、この紙幣挿入口４ｃから挿入された紙幣は、ビルバリデータ４ａによって、その真贋を識別されるとともに、真札と識別された場合には、ビルストッカ４ｂ側に送られ、これに収納される。ビルストッカ４ｂの背面側には、紙幣取出口と、この紙幣取出口を開閉する開閉板（ともに図示せず）とが設けられており、ビルストッカ４ｂに収納した紙幣は、開閉板を開放して紙幣取出口から取り出される。
【００１２】
また、図２〜図４に示すように、防犯カバー装置１は、メインドア３の背面に固定した支持板１０と、この支持板１０に取り付けたヒンジ部材（第１蝶番部）１１と、このヒンジ部材１１に取り付けた防犯カバー（カバー部材）１２とを備えている。支持板１０は、断面Ｌ字形に曲げ加工した鋼板で構成され、短辺部がメインドア３の背面に垂直に取り付けられているとともに、長辺部が紙幣取扱装置４の右側面に沿って前後方向に延びている。
【００１３】
ヒンジ部材１１は、鋼板を曲げ加工することによって製作されており、支持板１０の長辺部に沿うように、その後端部にねじ止めされている。図４および図５に示すように、ヒンジ部材１１の後端部には、円筒状の３つのナックル１１ａ，１１ａ，１１ａが形成されており、これらのナックル１１ａは、同じ高さを有し、互いに所定の等間隔で上下方向に配列されている。また、最下位のナックル１１ａの下方には、係合突起（当接部）１１ｂが形成されている。この係合突起１１ｂは、斜め前方に突出するように延びており、その前縁部の上部は、斜め上後方に延びる傾斜面１１ｃになっている。
【００１４】
一方、防犯カバー１２は、鋼板を曲げ加工することによって製作されており、矩形の背壁部１２ａと、この背壁部１２ａの左右端から前方にそれぞれ延びる左右の側壁部１２ｂ，１２ｂと、左側壁部１２ｂの前端から左方に直角に折れ曲がったヒンジ部（第２蝶番部）１２ｃとを備えている。ヒンジ部１２ｃの左端部には、円筒状の３つのナックル１２ｄ，１２ｄ，１２ｄが形成されており、これらのナックル１２ｄは、同じ高さを有し、互いに所定間隔で上下方向に配列されている。さらに、ナックル１２ｄの高さは、ヒンジ部材１１のナックル１１ａ，１１ａ間の間隔よりも短くなっている。また、これらのナックル１１ａおよびナックル１２ｄは、各々の孔にヒンジピン１３（図３参照）がそれぞれ嵌合することによって、蝶番を構成しており、ヒンジピン１３、すなわち蝶番の回動軸線は、鉛直方向に延びている。以上の構成によって、防犯カバー１２は、ヒンジ部材１１に対して、図２に実線で示す開放位置と、同図に２点鎖線で示す閉鎖位置との間で回動自在に取り付けられており、さらに、上方に所定距離ｄ（＝ナックル１１ａ，１１ａ間の間隔−ナックル１２ｄの高さ）だけ、移動自在に取り付けられている。
【００１５】
最下位のナックル１２ｄの下縁部は、防犯カバー１２が閉鎖位置から開放位置側に回動するのに伴い、係合突起１１ｂの傾斜面１１ｃ上を図５（ｂ）の２点鎖線で示す位置から同図の実線で示す位置まで摺動するようになっている。このように、防犯カバー１２は、開放位置側へ回動する際に、傾斜面１１ｃによって上方に案内され、図５（ｂ）に示すように、開放位置においては、傾斜面１１ｃの途中の位置に当接する。また、最下位のナックル１２ｄの下縁部は、閉鎖位置において、係合突起１１ｂの傾斜面１１ｃのすぐ下の位置に当接するとともに、防犯カバー１２のナックル１２ｄと、そのすぐ上のヒンジ部材１１のナックル１１ａとは、所定距離ｄ分の間隔を有する状態になる。
【００１６】
さらに、防犯カバー１２は、背壁部１２ａの上端から前方に水平に延びる天板部１２ｅと、この天板部１２ｅの前端部から前方に突出し、さらに下方に折れ曲がったフック１２ｆとを備えている。このフック１２ｆは、防犯カバー１２が閉鎖位置にあるときに、紙幣取扱装置４の上面に形成した図示しない溝に上方から係合するようになっている。このフック１２ｆの溝との係合により、防犯カバー１２は、紙幣取扱装置４の後半部を覆った状態で閉鎖位置に固定される。これによって、例えばバールなどを、紙幣取扱装置４の左側に位置するメインドア３の継目３ａに差し込み、手を挿入可能な大きさまで継目３ａを強制的に拡げ、ビルストッカ４ｂから紙幣を不法に取り出そうとしても、このような行為が阻止される。
【００１７】
以上のように構成した防犯カバー装置１におけるメンテナンス時の動作について説明する。メンテナンス時には、まず、メインドア３を開放してから、閉鎖位置にある防犯カバー１２を手で上方に持ち上げることにより、フック１２ｆを紙幣取扱装置４から外す。この後、防犯カバー１２を開放位置側に回動させると、その最下位のナックル１２ｄの下縁部が傾斜面１１ｃに案内されることにより、防犯カバー１２は上方に移動する。そして、防犯カバー１２が閉鎖位置の高さから所定距離ｄだけ上方に移動すると、各ナックル１２ｄが、そのすぐ上のヒンジ部材１１のナックル１１ａに当接することにより、防犯カバー１２は開放位置で停止する（図４および図５）。この開放位置において、防犯カバー１２は、傾斜面１１ｃの途中の位置に当接している。
【００１８】
次に、防犯カバー１２を手で開放位置に保持した状態で、紙幣取扱装置４のビルストッカ４ｂの開閉板を開放することにより、その紙幣取出口から紙幣を取り出す。この後、防犯カバー１２から手を放すと、防犯カバー１２は、その位置エネルギを運動エネルギに変換させ、傾斜面１１ｃ上を下方に摺動しながら閉鎖位置側に戻るとともに、閉鎖位置において、紙幣取扱装置４の溝にフック１２ｆが係合する。これによって、防犯カバー１２は、閉鎖位置に固定される（図２の２点鎖線で示す状態）。
【００１９】
以上詳述したように、本実施形態の防犯カバー装置１によれば、メンテナンス時に、手で防犯カバー１２を閉鎖位置から開放位置に回動させるのに伴い、防犯カバー１２が上方に移動し、その位置エネルギが閉鎖位置よりも上昇した状態になるとともに、防犯カバー１２は、開放位置において傾斜面１１ｃの途中の位置に当接した状態になる。それゆえ、防犯カバー１２を開放位置で放すと、その位置エネルギが運動エネルギに変換され、傾斜面１１ｃに沿って摺動しながら、閉鎖位置まで回動し、フック１２ｆと溝との係合により閉鎖位置に固定される。このように、傾斜面１１ｃという比較的、単純な構造により、防犯カバー１２の閉め忘れを確実に防止できるとともに、防犯カバー１２が常時、閉鎖位置にあって紙幣取扱装置４の紙幣取出口側を覆うことにより、紙幣取扱装置４からの紙幣の盗難が確実に防止される。
【００２０】
また、防犯カバー１２およびヒンジ部材１１は、各々のナックル１２ｄおよびナックル１１ａが鉛直な回動軸線の回りに回動自在な蝶番を構成するように連結されているので、従来の回動軸線が傾いているものと比べて、ナックル１２ｄとナックル１１ａとで構成される蝶番を効率よく配置できるとともに、防犯カバー１２の回動スペースを削減することができる。これによって、防犯カバー装置１の設置スペースを縮小できる。
【００２１】
また、傾斜面１１ｃを有する係合突起１１ｂをヒンジ部材１１に一体に形成したので、装置全体としてのサイズを小さくできるとともに、係合突起１１ｂを別に製作する必要がなくなることによって、部品点数を減らすことができる。
【００２２】
なお、上記実施形態においては、傾斜面１１ｃを備えた係合突起１１ｂを、ヒンジ部材１１の最下位のナックル１１ａの下方に設けたが、係合突起１１ｂを設ける位置や設ける対象部材はこれに限らず、係合突起１１ｂをナックル１１ａ，１１ａの間に設けたり、防犯カバー１２のヒンジ部１２ｃ側に設けたり、さらには、ヒンジ部材１１や防犯カバー１２とは別個の部材に設けてもよく、防犯カバー１２の回動時に、これを上方に案内できればよい。
【００２３】
【発明の効果】
以上のように、本発明の自動販売機の防犯カバー装置によれば、閉め忘れを防止でき、比較的、構造が単純で容易に製造できるとともに、設置スペースを縮小できる。
【図面の簡単な説明】
【図１】本発明の一実施形態に係る防犯カバー装置を適用した自動販売機の一部を示す正面図である。
【図２】防犯カバー装置の動作を示す平面図である。
【図３】防犯カバー装置の正面図である。
【図４】防犯カバーが開放位置にあるときの防犯カバー装置の斜視図である。
【図５】（ａ）図４の要部拡大図と（ｂ）その側面図である。
【図６】従来の防犯カバー装置を備えた自動販売機の一部を示す正面図である。
【図７】従来の防犯カバー装置の正面図である。
【図８】従来の防犯カバー装置の動作を示す平面図である。
【符号の説明】
１    防犯カバー装置
２    自動販売機
３    メインドア（前壁）
４ｂ  ビルストッカ（貨幣収納部）
１１    ヒンジ部材（第１蝶番部）
１１ｂ  係合突起（当接部）
１１ｃ  傾斜面
１２    防犯カバー（カバー部材）
１２ｃ  ヒンジ部（第２蝶番部）
【図１】
0003757663.tif 000002
【図２】
0003757663.tif 000003
【図３】
0003757663.tif 000004
【図４】
0003757663.tif 000005
【図５】
0003757663.tif 000006
【図６】
0003757663.tif 000007
【図７】
0003757663.tif 000008
【図８】
0003757663.tif 000009